(57)【要約】【課題】構造が簡易で配管等に容易に通すことができる光ファイバケーブルの端部構造を提供する。【解決手段】光ファイバケーブルの端部の構造は、複数の光ファイバコードが導出され、該複数の光ファイバコードは保護筒により外囲され、上記複数の光ファイバコードの端部にそれぞれコネクタが取り付けられ、上記導出長さが上記コネクタを束ねたとき所定の径となる長さとなっている。  そして、上記光ファイバケーブルの端部近傍に取り付けられ、該光ファイバケーブルを保持するケーブル固定部と、牽引部材を固定する牽引部材固定部と、 上記ケーブル固定部と上記牽引部材固定部を上記保護筒両端に接合するとともに上記保護筒を固定する保護筒固定部と、を備える。【選択図】図２
2014002189.tif 000002
【特許請求の範囲】
【請求項１】
端部にそれぞれコネクタが取り付けられ所定の導出長さに光ファイバケーブルより導出された複数の光ファイバコードと、該導出された複数の光ファイバコードを収納する保護筒とからなり、上記複数の光ファイバコードの上記導出長さは上記コネクタを束ねたとき所定の径となる長さである光ファイバケーブルの端部構造であって、
上記光ファイバケーブルの端部近傍に取り付けられ、該光ファイバケーブルを保持するケーブル固定部と、
牽引部材を固定する牽引部材固定部と、
上記ケーブル固定部と上記牽引部材固定部を上記保護筒両端に接合するとともに上記保護筒を固定する保護筒固定部と、
を備える光ファイバケーブルの端部構造。
【請求項２】
上記ケーブル固定部は、
上記光ファイバケーブルを外囲固定保持するケーブル保持部材と、
上記ケーブル保持部材を圧縮する締め付け部材と、
上記締め付け部材を装着する固定部材とを有し、
上記ケーブル保持部材を上記固定部材に押し込んだ状態で、上記締め付け部材を上記固定部材に装着し、該固定部材と上記締め付け部材を締め付けることにより上記ケーブル保持部材が上記光ファイバケーブルを固定する請求項１に記載の光ファイバケーブルの端部構造。
【請求項３】
上記牽引部材固定部は、
上記牽引部材を固定保持する牽引部材保持部材と、
上記牽引部材保持部材を圧縮する締め付け部材と、
上記締め付け部材を装着する固定部材とを有し、
上記牽引部材保持部材を上記固定部材に押し込んだ状態で、上記締め付け部材を上記固定部材に装着し、該固定部材と上記締め付け部材を締め付けることにより上記牽引部材保持部材が上記牽引部材を固定する請求項１又は請求項２に記載の光ファイバケーブルの端部構造。
【請求項４】
上記保護筒固定部は、
上記保護筒の両端を外囲固定保持する保護筒保持部材と、
上記保護筒保持部材を圧縮する締め付け部材と、
上記締め付け部材を装着する固定部材とを有し、
上記保護筒保持部材を上記固定部材に押し込んだ状態で、上記締め付け部材を上記固定部材に装着し、該固定部材と上記締め付け部材を締め付けることにより上記保護筒保持部材が上記保護筒を固定する請求項１乃至請求項３に記載の光ファイバケーブルの端部構造。
【請求項５】
上記複数の光ファイバコードの導出長さがそれぞれ異なっている請求項１乃至請求項４に記載の光ファイバケーブルの端部構造。
【請求項６】
上記導出された複数の光ファイバコードを複数の集合に分け、各集合の光ファイバコードの導出長さが同じであるとともに、該集合毎の光ファイバコードの導出長さが異なっている請求項１乃至請求項４に記載の光ファイバケーブルの端部構造。
【請求項７】
端部にそれぞれコネクタが取り付けられ所定の導出長さに光ファイバケーブルより導出された複数の光ファイバコードと、該導出された複数の光ファイバコードを収納する保護筒とからなり、上記導出された複数の光ファイバコードを複数の集合に分け、各集合の光ファイバコードの導出長さが同じであるとともに、該集合毎の光ファイバコードの導出長さが異なっており、該導出長さが上記コネクタを束ねたとき所定の径となる長さである光ファイバケーブルの端部構造の製造方法であって、
上記光ファイバケーブルを保持するケーブル固定部を上記光ファイバケーブルの端部近傍に取り付けるステップと、
牽引部材と該牽引部材を保持する保持部材を有する牽引部材固定部と上記ケーブル固定部とを上記保護筒の両端に接合するステップと、
を備える製造方法。
【発明の詳細な説明】
【技術分野】
【０００１】
本発明は、端部にコネクタを接続した複数の光ファイバコードの実装された光ファイバケーブルの端部構造に関する。
【先行技術文献】
【特許文献】
【０００２】
【特許文献１】特開２００２−３３３５６１号公報
【特許文献２】特開平８−２４０７５６号公報
【特許文献３】特開２０１０−３９０１９号公報
【背景技術】
【０００３】
一般に、光ファイバケーブルを管路（配管等）に敷設する場合には、コネクタを備えていない状態で光ファイバケーブルを端部側から管路に通している。これは、管路を通すとき、管路の径が小さいことから、コネクタが破損すること等を防ぐためである。
しかし、かかる方法では敷設後のコネクタの取り付け等の作業等が必要となり作業性が悪いとされている。
【０００４】
このため、コネクタを装着した状態で光ファイバケーブルを効率的に配管に通すためにその端部の構造が各種考えられている。
特許文献１、特許文献２には、コネクタ付きの光ファイバコードとテンションメンバに前者は緩衝材等を、後者は保護管等を取り付け、テンションメンバの先を引っ張ることができる光ファイバケーブルが考えられている。
また、特許文献３には、配管にコネクタのついた状態で押し込むことができる光ファイバケーブルが考えられている。
【発明の概要】
【発明が解決しようとする課題】
【０００５】
ところで、端部に何ら処理のなされていない光ファイバケーブルを配管に通そうとすると作業に相当の時間がかかる。
また、技術文献１、２の光ファイバケーブルではケーブルのテンションメンバに牽引部を取り付け、その牽引部を引っ張って敷設するものであり、テンションメンバのないケーブルには対応できない。さらに、その光ファイバケーブルの端部の構造は複雑であり、組み立て作業に多大な時間と工数がかかる。また、技術文献３の押し込む方式の光ファイバケーブルは端部に結線部が直接取り付けられているが、光ファイバコードが単芯のものを対象としており、多芯のものに対してはこのままでは適用できない。さらにこの押し込む方式だと配管が屈曲していると配管を通すことが難しい状況となる。
【０００６】
本発明は、テンションメンバのない光ファイバケーブルに対応でき、構造が簡易で配管等に容易に通すことができる光ファイバケーブルの端部構造を提供することを目的とする。
【課題を解決するための手段】
【０００７】
本発明の光ファイバケーブルの端部構造は、端部にそれぞれコネクタが取り付けられ所定の導出長さに光ファイバケーブルより導出された複数の光ファイバコードと、該導出された複数の光ファイバコードを収納する保護筒とからなり、上記複数の光ファイバコードの上記導出長さは上記コネクタを束ねたとき所定の径となっており、上記光ファイバケーブルの端部近傍に取り付けられ、該光ファイバケーブルを保持するケーブル固定部と、牽引部材を固定する牽引部材固定部と、上記ケーブル固定部と上記牽引部材固定部を上記保護筒両端に接合するとともに上記保護筒を固定する保護筒固定部と、を備える。
【０００８】
本発明の光ファイバケーブルの端部構造の製造方法は、端部にそれぞれコネクタが取り付けられ所定の導出長さに光ファイバケーブルより導出された複数の光ファイバコードと、該導出された複数の光ファイバコードを収納する保護筒とからなり、上記導出された複数の光ファイバコードを複数の集合に分け、各集合の光ファイバコードの導出長さが同じであるとともに、該集合毎の光ファイバコードの導出長さが異なっており、該導出長さが上記コネクタを束ねたとき所定の径となる長さである光ファイバケーブルの端部構造の製造方法であり、上記光ファイバケーブルを保持するケーブル固定部を上記光ファイバケーブルの端部近傍に取り付けるステップと、牽引部材と該牽引部材を保持する保持部材を有する牽引部材固定部と上記ケーブル固定部とを上記保護筒の両端に接合するステップと、を備える。
【発明の効果】
【０００９】
本発明は、テンションメンバのない光ファイバケーブルに対応でき、径が小さく構造が簡易で配管等に容易に通すことができる。
また、工事担当者が自ら組み立てすることができ、経済的である。
【図面の簡単な説明】
【００１０】
【図１】実施の形態に係る光ファイバケーブルの端部部分の構造の概要を表す図である。
【図２】実施の形態に係るケーブルの端部部分の構造の詳細図である。
【図３】端部部分の変形例の詳細図である。
【図４】光ファイバネットワークを模式的に表した図である。
【発明を実施するための形態】
【００１１】
以下、本発明の実施の形態を次の順序で説明する。
＜１．光ファイバケーブル敷設作業＞
＜２．実施の形態＞
＜３．変形例＞
【００１２】
＜１．光ファイバケーブルの敷設作業＞
光ファイバケーブルの敷設作業について、図４により具体的に説明する。図４は光ファイバネットワークの１例であり、その全体構成を示すものである。
図４に示すように、工場、会社、家庭等に光ファイバケーブルがつながっている。
【００１３】
光ファイバネットワークにおいて、工場、会社、家庭等からの光ファイバケーブル１９は電柱等を経由して何れかの電柱の屋外光成端箱２０に接続される。ここでは、２系統の光ファイバケーブル１９が屋外光成端箱２０に接続されている。光成端箱とは光ファイバケーブルの接続部およびコード等の余長部分を収納するものである。
【００１４】
光ファイバケーブル１８は、屋外光成端箱２０から配管（管路）を経由して通信装置１５の設置されている建屋内の屋内光成端部２１と接続される。そして、屋内光成端箱２１を介して通信装置１５と接続される。このとき屋外光成端箱２０側から光ファイバケーブル１８を配管に通す作業が必要となる。
この配管を通す作業は、配管の径が小さく、配管の径が屈曲している等のため時間がかかる作業である。また、光ファイバケーブルを破損しないように慎重な取り扱いが必要である。さらに、配管を通した後、屋内光成端部２１にすぐ接続できるように、端部にコネクタの接続された状態で配管を通すことが求められている。
図４の例では、配管（管路）が地下に設置されているが、配管がどこに設置されていたとしても、光ファイバケーブルの敷設作業の状況は上記と同様である。
【００１５】
＜２．実施の形態＞
本発明の実施の形態を図１、図２により説明する。図１は光ファイバケーブルの端部部分の構造の概要を表すものである。図２は端部部分の詳細の構造を示すものである。
図１において、図１Ａは光ファイバケーブルの端部の概略構造１を示し、図１Ｂ、図１Ｃおよび図１Ｄは、コネクタの取り付けられた光ファイバコードの配置を示すものである。図１Ａから説明する。
【００１６】
図１Ａに示すように、光ファイバケーブル４の端部から光ファイバコード５、６、７が導出され、その端にそれぞれコネクタ８、９、１０が接続されている。各コネクタの重なり方により、光ファイバコードを束ねたときの径全体の大きさが決まることがわかる。
各コネクタの重なり方を変えることにより光ファイバコードを束ねたときの径全体の大きさを変えることができる。これにより、径全体の大きさを保護筒３の大きさに合わせて、所定の大きさにすることができる。
【００１７】
例えば、導出されている光ファイバコード５、６、７の長さを図のようにすべて異ならせれば、光ファイバコードを束ねたときの径全体の大きさを小さくすることができる。ただし、導出される光ファイバコード５、６、７の長さは長くなる。
また、導出されている光ファイバコード５、６、７の長さをすべて同じにすると、各コネクタが重なることから、径全体の大きさは大きくなり、導出される光ファイバコード５、６、７の長さは短くなる。
さらに、複数個のコネクタを組み合わせ、それを１つの単位として、その単位毎にそれぞれ長さを異ならせることにより、光ファイバコードを束ねたときの径全体の大きさを細かく調整することができる。 すなわち、導出された複数の光ファイバコードを複数の集合に分け、各集合の光ファイバコードの導出長さは同じとし、その集合毎の光ファイバコードの導出長さは異なるようにするとよい。  
【００１８】
光ファイバコード５、６、７は保護筒３に収納されている。保護筒３の一端（光ファイバケーブル側）は固定部３３に接合されている。固定部３３は同時に光ファイバケーブル４の一端を保持固定している。さらに、保護筒３の他端は、牽引部材１２とこれを保持固定する固定部３３に接合されている。  
【００１９】
つぎに図１Ｂ、図１Ｃおよび図Ｄによりコネクタの重ならない場合とコネクタの重なる場合について具体的に説明する。図１Ｂは本願発明の実施の形態に係る光ファイバコードのコネクタの位置をそれぞれずらした場合を示すものである。図１Ｂに示すように、光ファイバケーブル端から各コネクタの位置をずらして取り付けている。その長さは、各コネクタが光ファイバケーブル４の長手方向に重ならないように調整している。これにより、コネクタの付いた状態の光ファイバコードを束ねたときその軸方向の幅ができるだけ小さい所定の幅であるｅとなり、径の小さい保護筒３に収納できることになる。
コネクタから光ファイバケーブル４の端までの距離はコネクタの大きさにより適宜調整される。束ねたときコネクタ同士がそれぞれ重ならないようにすれば、その径を最も小さくすることができる。コネクタは複数個一緒にしたものを１つの単位としてそれらがそれぞれ重ならないように位置をずらして取り付けてもよい。
【００２０】
例えば、２つのコネクタを１つの単位（２芯毎）としたり、４つのコネクタを１つの単位（４芯毎）とすることができる。図１Ｃは２つのコネクタを１つの単位（２芯毎）とした場合の例である。図１Ｃに示すように、２つのコネクタ８ａ、８ｂおよびコネクタ９ａ、９ｂを１つの単位としてそれらが重ならないようにしている。この場合、コネクタ８ａ、８ｂにはそれぞれ光ファイバコード５ａ、５ｂが接続され、コネクタ９ａ、９ｂにはそれぞれ光ファイバコード６ａ、６ｂが接続されている。この方法によっても、光ファイバコードを束ねたときの径全体の大きさを調整でき、その軸方向の幅をｅ′とすることができる。
【００２１】
また、複数個のコネクタを重ねたもの、その数の異なる複数個のコネクタを重ねたもの、または１つのコネクタのもの、の３種類のもののいずれかを重ねること、または重ならないようにすることにより束ねたときの径が、保護筒３の径に合わせ、その保護筒３に収納できるように所定の径に調整することも可能である。
【００２２】
図１Ｄは複数個のコネクタのすべてが重なる場合を示したものである。図１Ｄに示すように、光ファイバケーブル端から各コネクタまでの長さが同じである。この場合、光ファイバコードを束ねたときその軸方向の幅がｅ″となり、図１Ｂのｅと比較してコネクタを束ねた部分の外径が大きくなるが、光ファイバコードの導出長さは短くなる。
【００２３】
つぎに本発明の実施の形態に係る光ファイバケーブル４の端部部分の詳細構造について図２により説明する。
図２Ａに示すように、光ファイバケーブル４側のケーブル固定部は、固定部材２ａ、保持部材１４ａ、シール３１および締め付け部材１１で構成されている。
保護筒３の光ファイバケーブル側の端部の固定部は、締め付け部材１６、保持部材１４ｂおよび保護筒固定部材２ｂで構成されている。
固定部材２ａおよび保護筒固定部材２ｂは、いずれも両端にねじが形成されている。固定部材２ａでは、両端のねじはどちらも外側に形成されている。保護筒固定部材２ｂでは、一端のねじは外側に形成され、他端のねじは内側に形成されている。そして、固定部材２ａおよび保護筒固定部材２ｂは、外側に形成されたねじと内側に形成されたねじ同士で螺子接合される。固定部材２ａおよび保護筒固定部材２ｂは、本実施の形態において同じ機能を発揮するものであり、基本的に螺子位置が相違しているだけである。
【００２４】
保護筒３の牽引部側の端部の固定部は、締め付け部材１６、保持部材１４ｂおよび保護筒固定部材２ｂで構成されている。
また、牽引側の牽引部材１２の固定部は、固定部材２ａ、保持部材１４ａ、締め付け部材１１および牽引部材１２で構成されている。固定部材２ａと保護筒固定部材２ｂとは上記と同様に螺子接合される。  
【００２５】
光ファイバケーブル４の固定の態様、光ファイバケーブル側の保護筒３の固定の態様、牽引部側の保護筒３の固定の態様および牽引部材１２の固定の態様について以下に説明する。
（ａ）光ファイバケーブル４の固定の態様について
まず、コネクタ付き光ファイバコードが露出した状態の光ファイバケーブル４が右側の締め付け部材１１の通し穴から通され、保持部材１４ａ、シール３１、固定部材２ａまで貫通される。光ファイバケーブル４から露出したコネクタ付き光ファイバコードは、保護筒固定部材２ｂ、保持部材１４ｂおよび締め付け部材１６を経由して保護筒３まで貫通される。
その状態で、固定部材２ａの右側の通し穴から保護用のシール３１と保持部材１４ａを押し込む。そして、締め付け部材１１を固定部材２ａに締め付けることにより、光ファイバケーブル４の外周を保持部材１４ａで外囲固定保持することができる。
【００２６】
図２Ｂは締め付け部材１１、保持部材１４ａ、シール３１および固定部材２ａの断面構造を示すものである。図２Ｂに示すように、固定部材２ａには外周に螺子が形成され、さらに締め付け部材１１には左側の内周に螺子が形成されている。この螺子により固定部材２ａと締め付け部材１１は螺子接合される。シール３１は保持部材１４ａに左側から挿入する。そして、その保持部材１４ａとシール３１とは、固定部材２ａと締め付け部材１１が形成する空間に押し込まれる。そして中心部を光ファイバケーブル４が貫通する。
図２Ｃは組立図であり、締め付け部材１１、保持部材１４ａ、シール３１および固定部材２ａを組み立てた状態を表すものである。図２Ｃに示すように、固定部材２ａと締め付け部材１１が螺子接合され、固定部材２ａと締め付け部材１１に囲まれた空間に保持部材１４ａとシール３１が周囲が圧縮された状態で実装されている。中心部に光ファイバケーブルが貫通され、これを保持固定している。
【００２７】
固定部材１１の内部に装着された保持部材１４ａは、保持部材１４ａの先端がテーパ状にとなっていることと締め付け部材１１の通し穴が締め付け方向に細くなっていることから、締め付け部材１１を固定部材２ａに締め付けるにつれ、滑らかに圧縮される状態となる。このため光ファイバケーブル４を確実に固定保持することができる。
本実施の形態では、シース３１が装着された状態を示しているが、シース３１は光ケーブルを保護するもので、本発明においては必ずしも必要なものではない。また、シース３１は弾力性のあるものとなっている。
【００２８】
保持部材１４ａの材質は、樹脂製又は金属製である。保持部材１４ａには長手方向にスリットが１つはいっており、保持部材１４の締め付けにより外部周辺から圧力を加えると径が縮小し挿通した光ファイバケーブル４を固定保持することができる。また圧力を除去する（ねじを緩める）と弾性により元に戻り、容易に光ファイバケーブル４から外すことができる。図２では保持部材１４ａの長手方向にスリットの１つはいっている部材を示しているが、これに限るものではなく、スリットは複数入っていてもよい。
また、その材質は樹脂製又は金属に限るものでなく、弾性体であれば、発明の趣旨を逸脱しない範囲で他の部材（例えばゴム状の部材）を採用できる。またゴム状の部材、その他の弾性体であればスリットは必ずしも必要ない。
【００２９】
（ｂ）光ファイバケーブル側の保護筒３の固定の態様について
光ファイバケーブル側の保護筒３の一端は、保護筒固定部材２ｂ、保持部材１４ｂおよび締め付け部材１６により固定される。まず、コネクタ付き光ファイバコードが露出した状態の光ファイバケーブル４が右側の締め付け部材１１の通し穴から通され、保持部材１４ａ、シール３１、固定部材２ａまで貫通される。光ファイバケーブル４から露出したコネクタ付き光ファイバコードは、保護筒固定部材２ｂ、保持部材１４ｂおよび締め付け部材１６を経由して保護筒３まで貫通される。
保護筒３には光ファイバケーブル４から導出された光ファイバコードが収納される状態となる。この状態で、保護筒３の一端を締め付け部材１６の左の通し穴から通し、保持部材１４ｂを取り付け保護筒固定部材２ｂに押し込む。
【００３０】
つぎに締め付け部材１６を保護筒固定部材２ｂに締め付けることにより、保持部材１４ｂが圧縮され保護筒３の一端を保持部材１４ｂで外囲固定保持することができる。また、保持部材１４ｂの中心には導出された光ファイバコードが通されている。保持部材１４ｂと保持部材１４ａは機能的には同じであるが、固定保持するものに応じて、形と径の大きさが相違するものである。
締め付け部材１６の締め付けにより、保持部材１４ｂが圧縮され径が縮小し保護筒３を固定する。これは、光ファイバケーブル４を固定する場合と同様である。
保護筒固定部材２ｂと固定部材２ａは上述のとおり螺子接合される。
【００３１】
（ｃ）牽引部側の保護筒３の固定の態様について    
牽引部側の保護筒３の一端は、締め付け部材１６、保持部材１４ｂおよび保護筒固定部材２ｂにより固定される。保護筒３の牽引部側の一端を締め付け部材１６の右の通し穴から通し、保持部材１４ｂを取り付け保護筒固定部材２ｂに押し込む。つぎに締め付け部材１６を保護筒固定部材２ｂに締め付けることにより、保持部材１４ｂが圧縮され保護筒３の牽引部側の一端を保持部材１４ｂで固定保持することができる。
【００３２】
牽引部側の保護筒３の固定のための各部材の断面構造図、組立図を図２Ｄ、図２Ｅに示す。図２Ｄ、図２Ｅは 上記の図２Ｂ、図２Ｃにそれぞれ相当するものである。 
図２Ｄは締め付け部材１６、保持部材１４ｂおよび固定部材２ｂの断面構造を示すものである。図２Ｄに示すように、固定部材２ｂの一方は外周に螺子が形成され、他の一方には内周に螺子が形成されている。締め付け部材１６には左側の内周に螺子が形成されている。この螺子により固定部材２ｂの一方の外周と締め付け部材１１は螺子接合される。保持部材１４ｂは、固定部材２ｂと締め付け部材１６が形成する空間に押し込まれる。そして中心部に保護筒３が配置される。
図２Ｅは組立図であり、締め付け部材１６、保持部材１４ｂおよび固定部材２ｂ組み立てた状態を表すものである。図２Ｅに示すように、固定部材２ｂと締め付け部材１６が螺子接合され、固定部材２ｂと締め付け部材１６に囲まれた空間に保持部材１４ｂが周囲が圧縮された状態で実装されている。中心部に保護筒３が配置され、これを保持固定している。
【００３３】
（ｄ）牽引部材１２の固定の態様について    
牽引部材１２は、固定部材２ａ、保持部材１４ａおよび締め付け部材１１により固定される。牽引部材１２を締め付け部材１１の左の通し穴から通し、保持部材１４ａを取り付け固定部材２ａに押し込む。つぎに締め付け部材１１を固定部材２ａに締め付けることにより、保持部材１４ａが圧縮され牽引部材１２の一端を保持部材１４ａで固定保持することができる。締め付け部材２ｂと締め付け部材２ａは上述のとおり螺子接合される。
以上の構成により、牽引部材１２、保護筒３および光ファイバケーブル４は確実に固定され、牽引部材１２をもって引っ張っても光ファイバケーブル４が抜け落ちることなく確実に目的の配管等に光ファイバケーブル４を通すことができる。
【００３４】
＜３．変形例＞
つぎに本発明の実施の形態の変形例について図３により説明する。図３Ａから説明する。図３Ａは保護筒３の固定方法の変形例を示すものである。図３Ａに示すように、光ファイバケーブル側の光ファイバケーブル４の固定は、締め付け部材１１、保持部材１４ａおよび固定部材３２で構成されており、図２の実施の形態とシール３１の装着を除いて基本的に同じである。
また、牽引側の牽引部材１２の固定部は、牽引部材１２、締め付け部材１１、保持部材１４ａおよび固定部材３２で構成されており、図２の実施の形態と基本的に同じである。保護筒３の固定方法が図２の実施の形態とは相違する。
【００３５】
図２の実施の形態においては、保護筒３の固定は光ファイバケーブル４および牽引部材１２の固定と同じ構成で固定している。
本変形例においては、保護筒３の両端は固定部材３２のボルト部分と螺子接合される。保護筒３の両端部分の内側は螺子が形成されている。固定部材３２の一端は外側に螺子が形成され、他端は内側に螺子が形成されたものである。
そして、固定部材３２は保護筒３の両端に配置され、保護筒３と固定部材３２とは保護筒３の内側の螺子と固定部材３２の一端側の螺子同士で接合される。
以上の構成により、牽引部材１２と光ファイバケーブル４は確実に固定され、牽引部材１２をもって引っ張っても光ファイバケーブル４が抜け落ちることはなく確実に目的の配管等に光ファイバケーブル４を通すことができる。
【００３６】
図３Ｂについて説明する。図３Ｂに示すように、図３Ａの変形例にたいして締め付け部材１１を省略した構成としている。
保持部材２３に光ファイバケーブル４を挿通し、締め付け部材２４と保持部材２３により光ファイバケーブル４を固定するものである。図３Ａの場合と違って保持部材２３の表面には螺子が切られている。また固定部材２４の内側には螺子が切られており、固定部材２４を締めることにより、固定部材２４と保持部材１４は螺子接合され、同時にその締め付けにより、保持部材１４は径が縮小し光ファイバケーブル４を確実に固定する。これにより締め付け部材２４をもって引っ張っても光ファイバケーブル４が抜け落ちることなく確実に目的の配管等に通すことができる。
【００３７】
図３Ｃについて説明する。図３Ｃに示すように、図３Ｂの変形例に対し固定部材２５と保護筒２６との接合が相違する。すなわち、保護筒２６に突起部１７が形成されており、保護筒２６を突起部１７のない方向から固定部材２５に挿通させ、突起部１７で固定部材２５から保護筒２６が抜け落ちないように接合するものである。固定部材２５、保持部材２３および光ファイバケーブル４の接合は図３Ｂの変形例と同じである。
【００３８】
図３Ｄについて説明する。図３Ｄは、牽引側の変形例を示すものである。図３Ｄに示すように、牽引部材２７、保護キャップ２２、保持部材１３および止め部材２８で構成される。図２Ａの実施の形態のように保持部材１３の径を縮小させて牽引部材２７を固定するのでなく、牽引部材２７に保護キャップ２２と保持部材１３を装着し、止め部材２８を牽引部材２７にねじ止めすることにより牽引部材２７を固定するものである。
【００３９】
端部が上記のような構造を有する光ファイバケーブルは、配管等を通す場合、配管の遠端側から引っ張ったとしても、充分な強度を保つことができるとともに、コネクタ等の破損を防ぐことができ、取り扱い易い優れたものとなる。
【符号の説明】
【００４０】
１  光ファイバケーブルの端部の構造、２ａ  ２ｂ  ２４  ２５  ３２  固定部材、３  ２６  保護筒、４  １８  １９  光ファイバケーブル、５  ５ａ  ５ｂ  ６  ６ａ  ６ｂ  ７  光ファイバコード、８  ８ａ  ８ｂ  ９  ９ａ  ９ｂ  １０  コネクタ、１１  １６  ２２  締め付け部材、１２  ２７  牽引部材、１３  １４ａ  １４ｂ  ２３  保持部材、１５  通信装置、１７  突起部、２０  ２１  光成端箱、２８  止め部材、３３  固定部
【図１】
2014002189.tif 000003
【図２】
2014002189.tif 000004
【図３】
2014002189.tif 000005
【図４】
2014002189.tif 000006